(57)【要約】【課題】  常に確実な開閉をなし得るとともに、高度な気密性を確保して、一般のドア本体の如き良好な外観を呈する避難用子扉付きドアを提供する。【解決手段】  ドア枠４に吊支持したドア本体１を外開きの親扉２と、これに設置した内開きの子扉３によって形成し、室外側見付面と面一に親扉に設けた囲繞気密材２２６で子扉３との気密性を、ドア本体１の見込内で確保し、親扉２に固定したモール２５で子扉３との間でその開閉用のクリアランスを被覆する。室外側に開閉障害があっても、子扉３は常に室内側に開閉でき、モール２５によって一般のドアと同様な外観を呈して、子扉の存在を察知されない。ドアへの外力負荷によって親扉２が変形してもクリアランスによって子扉３を開閉できる。【選択図】  図４
2012149453.tif 000002
【特許請求の範囲】
【請求項１】
ドア枠に吊支持したドア本体を、外開きの親扉と、該親扉の面内に設けた開口に開閉自在に配置した避難用内開きの子扉を備えて形成し且つ上記ドア枠と親扉間及び親扉と子扉間の囲繞気密材によってそれぞれ気密性を確保した子扉付きのドアであって、上記親扉と子扉間の囲繞気密材を、親扉の室外側見付面から上記開口にその面内方向に向けて該室外側見付面と面一に又はこれより凹陥して張出形成した気密材受条に室内側に向けて突出配置し、該囲繞気密材を子扉の見込面中間位置に形成した気密材受座に対接するとともに上記親扉の室外側見付面に子扉の室外側見付面に至るように張出形成した囲繞装飾枠によって該親扉と子扉の室外側見付面間を被覆してなることを特徴とする避難用子扉付きドア。
【請求項２】
上記ドア枠と親扉間及び親扉間の囲繞気密材を、ドア枠の見込面中間にドア枠面内方向に張出形成した気密材受条に室外側に向けて突出配置し、該囲繞気密材を親扉の室内側見付面外周の気密材受座に対接してなることを特徴とする請求項１に記載の避難用子扉付きドア。
【請求項３】
上記ドア枠と親扉間及び親扉間の囲繞気密材を、既設のドア枠を被覆するように配置した新設のドア枠の見込面中間に該新設のドア枠の面内方向に張出形成した気密材受条に室外側に向けて突出配置し、該囲繞気密材を親扉の室内側見付面外周の気密材受座に対接してなることを特徴とする請求項１に記載の避難用子扉付きドア。
【請求項４】
上記ドア枠と親扉間及び親扉間の囲繞気密材を、上記親扉の室内側見付面外周に配置した気密材受条に室外側に向けて突出配置し、該囲繞気密材を既設のドア枠における見付面中間の戸当段部を気密材受座として該気密材受座に対接してなることを特徴とする請求項１に記載の避難用子扉付きドア。
【発明の詳細な説明】
【技術分野】
【０００１】
本発明は、避難用の子扉を有する避難用子扉付きドアに関する。
【背景技術】
【０００２】
本発明者は、ドア枠に吊支持したドア本体を、外開きの親扉と、該親扉の面内に設けた開口に開閉自在に配置した避難用外開きの子扉を備えて形成し且つ上記ドア枠と親扉間及び親扉と子扉間の囲繞気密材によってそれぞれ気密性を確保した子扉付きのドアを提案済みであり、これによれば、上記親扉と子扉間の囲繞気密材を、親扉の室外側見付面から上記開口にその面内方向に向けて該室外側見付面から室外側に突出して張出形成した気密材受条に室内側に向けて突出配置し、該囲繞気密材を子扉の見込面中間位置に形成した気密材受座に対接するとともに上記気密材受条によって該親扉と子扉の室外側見付面間を被覆したものとされる。
【先行技術文献】
【特許文献】
【０００３】
【特許文献１】特願２０１０−９７３０２号
【発明の概要】
【発明が解決しようとする課題】
【０００４】
この場合、例えば、地震によるドア枠変形によってドアが開閉不能になっても、子扉を開閉することによって室内から室外に脱出して、その避難を行うことができるが、一方で、子扉を親扉と同様に外開きとしたものであるから、地震による天井の剥落や他の避難者の荷物放置等によって、子扉の開閉を行うべき廊下側に障害物が存在すると、その除去を室内側から行うことができないため、これらが子扉の開閉障害となって、子扉の開閉が不能となって避難用の子扉を備えながら必要なときに避難をなし得ないという結果を招く可能性を否定できないことになる。
【０００５】
また、この場合、親扉と子扉間の気密性を、親扉の室外側見付面から親扉の開口にその面内方向に向けて該室外側見付面から室外側に突出して張出形成した気密材受条に、囲繞気密材を配置することによって確保するから、親扉の室外側見付面に突出した気密材受条材が、搬送や取付工事に際して他のものに衝接すると、該気密材受条が変形して囲繞気密材と子扉の気密性に影響する可能性や変形による外観不良等を招く可能性も否定できない。
【０００６】
本発明はかかる事情に鑑みてなされたもので、その解決課題とするところは、常に確実な開閉をなし得るとともに気密材受条が親扉の室外側見付面に突出することなく、高度な気密性を確保して、一般のドア本体の如き良好な外観を呈し得るようにした避難用子扉付きドアを提供するにある。
【課題を解決するための手段】
【０００７】
上記課題に沿って本発明は、ドア枠に吊支持したドア本体を、親子扉によって形成し、親扉を外開きとする一方、避難に際して、室内側に障害物があっても、これを除去し得ることから、子扉を室内側に開閉自在の内開きとするとともに親扉と子扉の気密性確保を、ドア本体の見込内に配置した囲繞気密材と気密材受座によって該ドア本体の見込内で行って、ドア本体見付面にこれらが突出するのを防止し且つ該親子扉間を親扉に固定して子扉に向けて張出突出した囲繞装飾枠によって被覆してドア本体の化粧を兼ねるようにしたものであって、即ち、請求項１に記載の発明を、ドア枠に吊支持したドア本体を、外開きの親扉と、該親扉の面内に設けた開口に開閉自在に配置した避難用内開きの子扉を備えて形成し且つ上記ドア枠と親扉間及び親扉と子扉間の囲繞気密材によってそれぞれ気密性を確保した子扉付きのドアであって、上記親扉と子扉間の囲繞気密材を、親扉の室外側見付面から上記開口にその面内方向に向けて該室外側見付面と面一に又はこれより凹陥して張出形成した気密材受条に室内側に向けて突出配置し、該囲繞気密材を子扉の見込面中間位置に形成した気密材受座に対接するとともに上記親扉の室外側見付面に子扉の室外側見付面に至るように張出形成した囲繞装飾枠によって該親扉と子扉の室外側見付面間を被覆してなることを特徴とする避難用子扉付きドアとしたものである。
【０００８】
請求項２に記載の発明は、上記に加えて、該避難用子扉付きドアを、新設の枠付きドアとすることによって、新築建造物に好適に設置使用し得るものとするように、これを、上記ドア枠と親扉間及び親扉間の囲繞気密材を、ドア枠の見込面中間にドア枠面内方向に張出形成した気密材受条に室外側に向けて突出配置し、該囲繞気密材を親扉の室内側見付面外周の気密材受座に対接してなることを特徴とする請求項１に記載の避難用子扉付きドアとしたものである。
【０００９】
請求項３に記載の発明は、同じく上記に加えて、該避難用子扉付きドアを、既設のドア枠を新設のドア枠によって被覆し、該新設のドア枠に新設のドアを設置する、いわゆるカバー工法適用の改装ドアとすることによって、既設建造物に好適に改装使用し得るものとするように、これを、上記ドア枠と親扉間及び親扉間の囲繞気密材を、既設のドア枠を被覆するように配置した新設のドア枠の見込面中間に該新設のドア枠の面内方向に張出形成した気密材受条に室外側に向けて突出配置し、該囲繞気密材を親扉の室内側見付面外周の気密材受座に対接してなることを特徴とする請求項１に記載の避難用子扉付きドアとしたものである。
【００１０】
請求項４に記載の発明は、同じく上記に加えて、該避難用子扉付きドアを、既設のドア枠を残存使用し、該既設のドア枠に新設のドアを設置する、いわゆるドアチェンジ工法適用の改装ドアとすることによって、既設建造物に好適に改装使用し得るものとするように、これを、上記ドア枠と親扉間及び親扉間の囲繞気密材を、上記親扉の室内側見付面外周に配置した気密材受条に室外側に向けて突出配置し、該囲繞気密材を既設のドア枠における見付面中間の戸当段部を気密材受座として該気密材受座に対接してなることを特徴とする請求項１に記載の避難用子扉付きドアとしたものである。
【００１１】
本発明はこれらをそれぞれ発明の要旨として上記課題解決の手段としたものである。
【発明の効果】
【００１２】
本発明は以上のとおりに構成したから、請求項１に記載の発明は、ドア枠に吊支持したドア本体を、親子扉によって形成し、親扉を外開きとする一方、避難に際して、室内側に障害物があっても、これを除去し得ることから、子扉を室内側に開閉自在の内開きとするとともに親扉と子扉の気密性確保を、ドア本体の見込内に配置した囲繞気密材と気密材受座によって該ドア本体の見込内で行って、ドア本体見付面にこれらが突出するのを防止し且つ該親子扉間を親扉に固定して子扉に向けて突出した囲繞装飾枠によって被覆してドア本体の化粧を兼ねるようにして、常に確実な開閉をなし得るとともに気密材受条が親扉の室外側見付面に突出することなく、高度な気密性を確保して、一般のドア本体の如き良好な外観を呈し得るようにした避難用子扉付きドアを提供することができる。
【００１３】
請求項２に記載の発明は、上記に加えて、該避難用子扉付きドアを、新設の枠付きドアとすることによって、新築建造物に好適に設置使用し得るものとすることができる。
【００１４】
請求項３に記載の発明は、同じく上記に加えて、該避難用子扉付きドアを、既設のドア枠を新設のドア枠によって被覆し、該新設のドア枠に新設のドアを設置する、いわゆるカバー工法適用の改装ドアとすることによって、既設建造物に好適に改装使用し得るものとすることができる。
【００１５】
請求項４に記載の発明は、同じく上記に加えて、該避難用子扉付きドアを、既設のドア枠を残存使用し、該既設のドア枠に新設のドアを設置する、いわゆるドアチェンジ工法適用の改装ドアとすることによって、既設建造物に好適に改装使用し得るものとすることができる。
【図面の簡単な説明】
【００１６】
【図１】ドアの正面図である。
【図２】ドアの背面図である。
【図３】ドアの縦断面図である。
【図４】ドアの横断面図である。
【図５】他の例にかかるドアの縦断面図である。
【図６】図５のドアの横断面図である。
【図７】更に他の例にかかるドアの縦断面図である。
【図８】図７のドアの横断面図である。
【発明を実施するための形態】
【００１７】
以下図面の例に従って本発明を更に具体的に説明すれば、図１乃至図８においてＡは避難用子扉付きドアであり、該ドアＡは、図１乃至図４において新設枠付きドアを示し、図１及び図２をそれぞれ共通図として、図５及び図６は、いわゆるカバー工法適用の改装ドア、図７及び図８は、いわゆるドアチェンジ工法適用の改装ドアを示す。
【００１８】
避難用子扉付きドアＡは、いずれも、ドア枠４に吊支持したドア本体１を、外開きの親扉２と、該親扉２の面内に設けた開口２１に開閉自在に配置した避難用内開きの子扉３を備えて形成し且つ上記ドア枠４と親扉２間及び親扉２と子扉３間の囲繞気密材２２６、４２によってそれぞれ気密性を確保したものとしてあり、上記親扉２と子扉３間の囲繞気密材２２６を、親扉２の室外側見付面から上記開口２１にその面内方向に向けて該室外側見付面と面一に又はこれより凹陥して張出形成した気密材受条２２４に室内側に向けて突出配置し、該囲繞気密材２２６を子扉３の見込面中間位置に形成した気密材受座３１４に対接するとともに上記親扉２の室外側見付面に子扉３の室外側見付面に至るように張出形成した囲繞装飾枠２５によって該親扉２と子扉３の室外側見付面間を被覆したものとしてあり、本例にあって上記気密材受条２２４は、これを、いずれも親扉２の室外側見付面と面一に突出配置してある。  
【００１９】
本例のドア本体１、即ち、親扉２と子扉３は、該親扉２を、開口２１を備えて縦長矩形枠として形成し、子扉３を、これを開閉自在に収容する開口２１、例えば、横幅を０．４〜０．５ｍ、高さを１．６〜１．７ｍとした開口に合せて同じく縦長パネルとして構成してあり、これら親扉２と子扉３は、それぞれ厚肉鋼板の中骨２２ａ、２２ｂ、３１ａ、３１ｂと、該中骨２２ａ、２２ｂ、３１ａ、３１ｂの室内側及び室外側に張設仕上げした、例えば塩ビ鋼板の表裏のドア表面材２３、３２と、中骨２２ａ、２２ｂ、３１ａ、３１ｂ及びドア表面材２３、３２間の空間に充填配置した断熱防音材２４、３３、本例にあっては水酸化アルミ紙のハニカムを備えたものとしてあり、このとき該ドア本体１、即ち、親扉２は、その横幅を、例えば約０．８ｍ、高さを約２ｍとし、親扉２及び子扉３の厚さを、例えば４ｃｍ弱、正確には３６ｍｍとしてある。該ドア本体１、即ち、親扉２は、その幅及び高さを、上記新設枠付きドア、カバー工法適用の改装ドア、ドアチェンジ工法適用の改装ドアにおける各ドア枠４の開口に合せて幾分変化して、各ドア枠４への吊支持を行うようにする一方、後述のドアチェンジ用の親扉２にあって、その室内側見付面外周の形状を変化して、これに気密材受条４１を配置する以外、ドア本体１の構造を共通とした鋼製の防火ドアをなすものとしてある。
【００２０】
本例にあって、該親扉２の中骨２２ａは、その上下左右の端部において、それぞれ厚肉鋼板による断面コ字状の単一部材構成のものとしてある。これに対して、上記開口２１における上下左右の端部においては、その中骨２２ｂを、中骨基材２２１と、該開口２１に上記気密材受条２２４を形成する室外側において中骨基材２２１と見付面を面一とするように形成した中骨受条部材２２２の２部材構成としてあり、該戸先側端部及び吊元側端部における中骨基材２２１と中骨受条部材２２２は、これらを、例えば溶着によって一体化した複雑形状のものとしてあり、これによって該複雑形状のものを厚肉鋼板の一体成形のものとする加工の煩雑化を回避して、その中骨２２ｂの構成を行ったものとしてある。
【００２１】
このとき、該開口２１端部における上記中骨２２ｂの中骨基材２２１は、例えば、該親扉２における開口２１の上下左右端部にそれぞれ室内側を開放した、上下及び開口２１の戸先側端部において共通とし、開口２１の吊元側端部において異寸法として異種２形状とした、各断面Ｌ字状をなすものとしてある。
【００２２】
また、上記中骨受条部材２２２は、上記開口２１の上下端部及び戸先側端部において、例えば、中骨基材２２１の該開放した室外側を塞ぎ且つその各開口２１端部に室内側に向けた断面コ字状の気密材受条２２４を備えた、例えば断面Ｓ字状をなすものとしてあり、一方、上記開口２１の吊元側端部においては、同じく中骨基材２２１の開放した室外側を塞ぎ且つその戸先側に室内側を幅広、例えば数ｃｍ幅の平坦面とし、室外側見付面から１ｃｍ程度見付側に位置したヒンジ固定面２２３と、該ヒンジ固定面２２３の更に戸先側に上記開口の上下及び戸先側端部と同じく室内側に向けた断面コ字状の気密材受条２２４を備えた、上記上下端部及び戸先側端部のものとは異寸法異形状にしつつも、同様に断面Ｓ字状をなすものとしてあり、該中骨基材２２１に中骨受条部材２２２を、その長手方向各端部を接合部位として、上記、例えば溶着によって留め接合することによって、上記２部材構成するもそれぞれ高剛性を有するものとしてある。
【００２３】
該中骨２２ａ、２２ｂには上記ドア表面材２３を張設仕上げしてあり、該ドア表面材２３は、上記中骨２２ａ、２２ｂを表裏２部材で被覆するように配置して、例えば該中骨２２ａ、２２ｂに接着等によって固定して一体化してある。このとき、該ドア表面材２３は、上記開口２１を画する開口端部側の中骨２２ｂに対して、その室外側見付面から室外側のドア表面材２３を、上記室内側に向けた断面コ字状の気密材受条２２４の見込面に至るように、室内側のドア表面材２３を、該開口２１の上下及び戸先側端部において、例えば、上記気密材受条２２４の開口付近に至るように、また、該開口２１の吊元側端部において、例えば、上記ヒンジ固定面２２３付近に至るようにそれぞれ張設したものとしてあり、このようにドア表面材２３によって中骨２２ｂ乃至その気密材受条２２４を有効に被覆し、該中骨２２ｂ乃至気密材受条がドア本体に露出することのないようにして、該ドア本体１の外観を良好とするようにしてある。
【００２４】
一方、本例にあって子扉３の中骨３１ａ、３１ｂは、その上下端部及び戸先側端部において、断面コ字状の一方のコーナー、本例にあっては室外側のコーナーを内側にＬ字状に落し込むように折曲することによって、上記親扉２の気密材受条２２４に対応する位置の室外側にＬ字状段部を形成して、該親扉２におけると同様に、該上下端部及び戸先側端部において共通とした階段状のものとする一方、吊元側端部において、親扉２における上記ヒンジ固定面２２３に平行にして該ヒンジ固定面２２３を室内側で被覆するようにしたヒンジ被覆面３１３を備えることによって、同じく吊元側端部において異寸とした異種２形状のものとしてある。このとき、該吊元側端部の中骨３１ｂは、親扉２におけると同様に室内側を開放した断面Ｌ字状の中骨基材３１１と、例えば、階段状にして上記ヒンジ固定面２２３を被覆する、該ヒンジ固定面２２３より幾分短寸の突片状に突出した上記ヒンジ被覆面３１３を配置した中骨被覆部材３１２の２部材構成として、同じく、例えば溶着によって一体化することによって、その加工の煩雑化を回避した複雑形状のものとしてある。
【００２５】
該中骨３１ａ、３１ｂには同じく上記ドア表面材３２を張設仕上げしてあり、このとき該ドア表面材３２は、中骨３１ａ、３１ｂを表裏３部材によって被覆するようにして、同様に、例えば該中骨３１ａ、３１ｂに接着等によって固定して一体化してある。このとき、該ドア表面材３２は、子扉３の室内側見付面と、その上下左右の各端部において上記Ｌ字状段部の該見付面直交の見込面に至る室外側ボックス状のものとし、室内側見付面と、その上下端部及び戸先側端部において上記Ｌ字状段部の該見付面に平行な見付面に至り且つ吊元側端部において上記ヒンジ被覆面３１３の見付面に至る、吊元側１辺開放のボックス状のものとし、また、吊元側端部において、上記Ｌ字状段部の見付面に平行な見付面と、これに直交する上記室内側突片近傍の見込面に至る断面Ｌ字状の３種のものとして、該子扉３の外周の張設仕上げを行ってある。
【００２６】
このように形成した親扉２と子扉３は、上記親扉２の中骨２１ｂ、特にその中骨受条部材２２２に形成したそれぞれ室内側に向けた断面コ字状の気密材受条２２４に、嵌合基部を嵌入し、該気密材受条２２４から気密クッション部を突出するように、親扉２の開口内周に囲繞気密材２２６を配置するとともに、親扉２の該中骨受条部材２２２の上記ヒンジ固定面２２３と、子扉３の中骨３１ｂ、特にその中骨被覆部材３１２の該ヒンジ被覆面３１３と平行な見付面に、ヒンジ３４、例えばスプリング丁番を固定して、該スプリング丁番を介して親扉２の開口２１に吊支持し、該子扉３を避難用に開閉自在としたものとしてある。
【００２７】
このとき、該囲繞気密材２２６は、子扉３の見込面中間位置に形成した気密材受座３１４、本例にあって上記子扉２の中骨３１ａと上記２部材構成の中骨３１ｂの上記中骨被覆部材３１２における室外側見付面と平行な見付面に対接することによって、上記親扉２と該子扉３間の気密性を確保するようにしてある。従って、親扉２と子扉３間の気密性確保は、これを、ドア本体１の見込内に位置する気密材受条２２４と囲繞気密材２２６によって、親扉２の開口２１と子扉３の外周との間のドア本体１見込内で行うようにしたから、該気密性確保のために、ドア本体１の外観を損なう如くに室外側に突出配置するものがなく、良好な気密性の確保とともに良好な外観を併せて確保することができる。
【００２８】
該親扉２の開口２１と子扉３間には、該子扉３の開閉のための回動を許容するようにクリアランスを介設して、該子扉の上記ヒンジ３４固定による配置を行ってあり、これによって、該回動許容に加え、例えば、親扉２に対する外力の負荷により該親扉２に変形があっても、該クリアランスがこれを吸収可能として、子扉３に可及的に開閉阻害が生じないようにしてある。本例にあって該クリアランスは、回動許容の数ｍｍ、例えば４〜５ｍｍのものとしてある。
【００２９】
一方、２５は、上記親扉２の室外側見付面に子扉の室外側見付面に至るように張出形成し、該親扉２と子扉３の室外側見付面間を被覆した囲繞装飾枠であり、該囲繞装飾枠２５は、本例にあって、いわゆるドア用の、例えばアルミ押出材を加工したモールを用いて、開口２１と子扉３間の上記クリアランスを被覆してあり、このとき該囲繞装飾枠２５は、その固定を、例えば親扉２のドア表面板２３に幅方向一側を開口２１の面内側に向けて張出突出するように、例えば、接着によって固定して一体化することによって行ってあり、これによって、該ドア本体１が子扉３を備えていることを、室外側から認識し得ないようにして、通常のモール付き鋼製ドアのドア本体と同一外観を呈するものとしてある。
【００３０】
このように形成したドア本体１は、上記ドア枠４に吊支持して枠付きのドアとして使用するところ、図１乃至図の例にあって、該ドア枠４は、上記新設の枠付きのものとして、上記ドア本体１専用に付属するものとしてあり、このとき、該ドア枠４と親扉２間の囲繞気密材４２は、これを、ドア枠４の見込面中間にドア枠４の面内方向に張出形成した気密材受条４１に室外側に向けて突出配置し、該囲繞気密材４２を親扉２の室内側見付面外周の気密材受座４３に対接したものとしてある。
【００３１】
即ち、該ドア枠４は、アンカー固定によって躯体に固定して、見込面の室内外中間に気密材受条４１と、該気密材受条４１に、嵌合基部を嵌合し、該気密材受条４１から気密クッション部を突出することによって該室内外中間の同一面に囲繞気密材４２を備えたものとしてあり、従って、ドア本体１をヒンジ４４によって該ドア枠４に吊支持することによって、ドア本体１の親扉２における室内側見付面外周が、そのまま該囲繞気密材４２の気密材受座４３をなす結果、ドア本体１の閉成に伴って該ドア枠４と親扉２との間の気密性を確保することができる。
【００３２】
図５及び図６の例にあって、該ドア枠４は、カバー工法適用の改装ドアとして、同じく枠付きのものとして、上記ドア本体１専用に付属するものとしてあり、このとき、上記ドア枠４と親扉２間の囲繞気密材４２は、これを、既設のドア枠４を被覆するように配置した新設のドア枠の見込面中間に該新設のドア枠の面内方向に張出形成した気密材受条４１に室外側に向けて突出配置し、該囲繞気密材４２を親扉２の室内側見付面外周の気密材受座４３に対接したものとしてある。
【００３３】
即ち、該ドア枠４は、アンカー固定によって躯体に固定した既設のドア枠を残存し、該既設のドア枠を固定ベースとして、これを被覆固定した上記新設のドア枠としてあり、ドア本体１は、該新設のドア枠４にヒンジ４４連結し且つ新設のドア枠４との間で気密性を確保するものとするところ、該新設のドア枠４も、上記と同様に見込面の室内外中間に気密材受条４１と、該気密材受条４１に嵌合基部を嵌合することによって、室内外中間の同一面における囲繞気密材４２を備えたものとしてあるから、同じく、ドア本体１をヒンジ４４によって吊支持することによって、ドア本体１の親扉２における室内側見付面外周が、そのまま該囲繞気密材４２の気密材受座４３をなす結果、ドア本体１の閉成に伴って該ドア枠４と親扉２との間の気密性を確保することができる。
【００３４】
図７及び図８の例にあって、該ドア枠４は、ドアチェンジ工法適用の改装ドアとして、既設のドア枠を残存し、該既設のドア枠における、いわゆる鋼製プレスドアによるドア本体に交換的に上記ドア本体１を吊支持するものとされるところ、このとき、上記ドア枠４と親扉２間の囲繞気密材４２は、これを、上記親扉２の室内側見付面外周に配置した気密材受条４１に室外側に向けて突出配置し、該囲繞気密材４２を既設のドア枠４における見付面中間の戸当段部を気密材受座４３として該気密材受座４３に対接したものとしてある。
【００３５】
即ち、該ドア枠４は、アンカー固定によって躯体に固定した既設のドア枠を残存し、塗装等の補修を施すことがあるも、該既設のドア枠４を用いて、既設のドア本体を除去した上、該既設のドア本体に代えて、例えば、新設のヒンジ４４を用いてドア本体１を吊支持し、該既設のドア枠４との間で気密性を確保するものとするところ、既設のドア枠４は、見付面の室内外中間位置に、鋼板をプレス成形した既設のドア本体外周一体のドア框を受止めする戸当段部を有するに止まるから、該既設のドア枠４における戸当段部を気密材受座４３として、これに、ドア本体１、即ち、親扉２に設置した囲繞気密材４２を対接することよって、気密性を確保するようにしてある。
【００３６】
本例にあって、上記親扉２は、図１乃至図６の上記親扉２における中骨２２ａ、２２ｂと同様な基本形状を備えるものとし、該中骨２２ａ、２２ｂの室外側のコーナーを内側に折曲することによって、上記既設のドア枠４の気密材受座４３に対応する位置の室外側にＬ字状段部を配置し、該Ｌ字状段部に沿うように室内側のドア表面材２３を配置することによって、親扉２の室内側見付面外周に気密材段部を配置し、該気密材段部に、例えば断面コ字状の又は該気密材段部の見込面を片側一側として断面Ｌ字状の気密材受条４３を固定し、該気密材受条４３に、上記新設のドア枠４におけると同様に囲繞気密材４２を嵌合配置したものとしてあり、該囲繞気密材４２を既設のドア枠４の上記気密材受座４３に対接することによって、ドア本体１の閉成に伴って該ドア枠４と親扉２との間の気密性を確保したものとしてある。
【００３７】
図中２６は親扉２に設けた開閉ハンドル、２７はドア枠４との間の施錠装置、３５は子扉３に設けたドアスコープ、３６は子扉３の開閉ハンドル、３７は子扉２と親扉３を一体化する、本例にあって落し錠を用いた施錠装置、３８は郵便受をそれぞれ示す。
【００３８】
以上のように構成した非難用子扉付ドアＡは、ドア枠４に吊支持したドア本体１を、親扉２と子扉３によって形成し、親扉２を外開きとする一方、避難に際して、室内側に障害物があっても、これを除去し得ることから、子扉３を室内側に開閉自在の内開きとするとともに親扉２と子扉３の気密性確保を、ドア本体１の見込内に配置した囲繞気密材２２６と気密材受座３１４によって該ドア本体１の見込内で行って、ドア本体１見付面にこれらが突出するのを防止し且つ該親扉２と子扉３間を親扉２に固定して子扉３に向けて張出突出した囲繞装飾枠２５によって被覆してドア本体１の化粧を兼ねるようにして、常に確実な開閉をなし得るとともに気密材受条２２４が親扉２の室外側見付面に突出することなく、高度な気密性を確保して、一般のドア本体の如き良好な外観を呈するものとすることができ、新設枠付きドアとして、新築の出入開口部に設置し、また、カバー工法適用の改装ドア乃至ドアチェンジ工法適用の改装ドアとして、残存した既設ドア枠を用いて、その出入開口部に設置するに適した断熱性と防音性を備えた高機能なドアとすることができる。
【００３９】
図示した例は以上のとおりとしたが、子扉の配置を、開口の戸先側を吊支持して行うようにすること、この場合、上記中骨等は、上記吊元側端部の構成を戸先側端部に適用すること、親扉に張出形成した気密材受条を該親扉の室外側見付面より凹陥したものとすること、上記図７及び図８のドア枠とドア本体の関係、即ち、ドア枠側に気密材受座を、ドア本体、特に親扉の室内側見付面外周に囲繞気密材を配置した構成を、図１乃至図６の避難用子扉付ドアに適用し、また、図７及び図８のドア枠に、該ドア枠の戸当段部に気密材受条を固定し、これに囲繞気密材を配置し、そのドア本体、特に親扉に、上記図１乃至図６に準じて室内側見付面外周による気密材受座を配置して、ドア本体を図１乃至図６のものと共通構造のものとすること、親扉と子扉間の気密性を更に向上するように、上記子扉の気密材受の見付面外側に親扉の気密材受条近傍の中骨乃至ドア表面板に対接する気密材を追加的に配置すること等を含めて、本発明の実施に当って、ドア枠、ドア本体、親扉、子扉、囲繞気密材、気密材受条、気密材受座、囲繞装飾枠等の各具体的形状、構造、材質、これらの関係、これらに対する付加等は、上記発明の要旨に反しない限り様々な形態のものとすることができる。
【符号の説明】
【００４０】
Ａ  避難用子扉付きドア
１  ドア本体
２  親扉
２１  開口
２２ａ  中骨
２２ｂ  中骨
２２１  中骨基材
２２２  中骨受条部材
２２３  ヒンジ固定面
２２４  気密材受条
２２５  気密材受座
２２６  囲繞気密材
２３  ドア表面材
２４  断熱防音材
２５  囲繞装飾枠
２６  開閉ハンドル
２７  施錠装置
３  子扉
３１ａ  中骨
３１ｂ  中骨
３１１  中骨基材
３１２  中骨被覆部材
３１３  ヒンジ被覆面
３１４  気密材受座
３２  ドア表面材
３３  防音断熱材
３４  ヒンジ
３５  ドアスコープ
３６  開閉ハンドル
３７  施錠装置
３８  郵便受
４  ドア枠
４１  気密材受条
４２  囲繞気密材
４３  気密材受座
４４  ヒンジ
【図１】
2012149453.tif 000003
【図２】
2012149453.tif 000004
【図３】
2012149453.tif 000005
【図４】
2012149453.tif 000006
【図５】
2012149453.tif 000007
【図６】
2012149453.tif 000008
【図７】
2012149453.tif 000009
【図８】
2012149453.tif 000010